(57)【要約】【課題】コンテンツの重複録画を防止してメモリ資源を有効に活用すること。【解決手段】放送受信部１２により繰り返し放送されるコンテンツを受信し、上記コンテンツを記憶部１３に記録する際、アプリ制御部１７により記憶部１３における上記コンテンツの記録の有無を判定し、その判定結果に基づいて記憶部１３に対する上記コンテンツの記録を規制することを特徴とする。例えば、アプリ制御部１７は、上記コンテンツと同一のコンテンツが既に記憶部１３に記録されている場合に当該コンテンツの記憶部１３に対する記録を規制する。【選択図】図２
2009200897.tif 000002
【特許請求の範囲】
【請求項１】
繰り返し放送されるコンテンツを受信する放送受信部と、前記コンテンツを記録媒体に記録する記録部と、前記記録媒体における前記コンテンツの記録の有無を判定する判定部と、前記判定部の判定結果に基づいて前記記録媒体に対する前記コンテンツの記録を規制する規制部と、を具備することを特徴とする放送受信装置。
【請求項２】
前記規制部は、前記コンテンツと同一のコンテンツが既に記録されている場合に前記記録媒体に対する記録を規制することを特徴とする請求項１記載の放送受信装置。
【請求項３】
前記記録媒体に記録された前記コンテンツを消去する消去部を更に具備し、前記規制部は、前記コンテンツと同一のコンテンツが所定回数記録されている場合に前記記録媒体に対する記録を規制し、前記消去部は、前記記録媒体に重複して記録された前記コンテンツと同一のコンテンツを消去することを特徴とする請求項１記載の放送受信装置。
【請求項４】
前記記録部は、前記コンテンツを記録すると共に当該コンテンツを識別するための識別情報を前記記録媒体に記録し、前記判定部は、前記識別情報に応じて前記コンテンツの記録の有無を判定することを特徴とする請求項１から請求項３のいずれかに記載の放送受信装置。
【請求項５】
予め定めた設定条件下で自動的に前記コンテンツを前記記録部により記録させる自動記録管理部を更に具備し、前記自動記録管理部は、前記規制部により前記記録媒体に対する前記コンテンツの記録が規制された場合に前記記録部の記録を停止させることを特徴とする請求項１から請求項４のいずれかに記載の放送受信装置。
【請求項６】
繰り返し放送されるコンテンツを受信するステップと、前記コンテンツを記録媒体に記録するステップと、前記記録媒体における前記コンテンツの記録の有無を判定するステップと、当該判定結果に基づいて前記記録媒体に対する前記コンテンツの記録を規制するステップと、を具備することを特徴とする放送記録方法。
【請求項７】
前記コンテンツと同一のコンテンツが既に記録されている場合に前記記録媒体に対する記録を規制することを特徴とする請求項６記載の放送記録方法。
【請求項８】
前記コンテンツと同一のコンテンツが所定回数記録されている場合に前記記録媒体に対する記録を規制し、前記記録媒体に重複して記録された前記コンテンツと同一のコンテンツを消去することを特徴とする請求項６記載の放送記録方法。
【請求項９】
前記コンテンツを記録すると共に当該コンテンツを識別するための識別情報を前記記録媒体に記録し、当該識別情報に応じて前記コンテンツの記録の有無を判定することを特徴とする請求項６から請求項８のいずれかに記載の放送記録方法。
【請求項１０】
予め定めた設定条件下で自動的に前記コンテンツの記録を開始するステップと、前記記録媒体に対する前記コンテンツの記録が規制された場合に前記コンテンツの記録を停止するステップとを更に具備することを特徴とする請求項６から請求項９のいずれかに記載の放送記録方法。
【発明の詳細な説明】
【技術分野】
【０００１】
本発明は、放送受信装置及び放送記録方法に関し、特に、繰り返し放送されるコンテンツを記録可能な放送受信装置及び放送記録方法に関する。
【背景技術】
【０００２】
従来、複数の番組（コンテンツ）を１回のみ又は繰り返し予約して録画する録画装置に適用され、番組の重複録画によるメモリ資源の利用効率の悪化を防止する番組録画再生装置が提案されている（例えば、特許文献１参照）。この番組録画再生装置においては、録画予約を行った最初の番組名が録画予約を行った以降の現在のＥＰＧに掲載されているかどうかを判別し、最初の番組名が現在のＥＰＧに定期的に掲載されていていないと判別された場合には、最初の番組名と同じ番組の録画予約を行わず、最初の番組名と同じ番組の録画予約予定領域を削除する。これにより、予約設定された番組の一連の放送が終了した後に設定された録画予約を解除すると共に、一連の番組のために確保されている記録媒体の記録領域を解放することを可能とするものである。
【特許文献１】特開２００６−１８００５７号公報
【発明の開示】
【発明が解決しようとする課題】
【０００３】
しかしながら、上述したような番組録画再生装置においては、放送されている番組と共にＥＰＧを受信し、このＥＰＧにおける録画予約した最初の番組名の有無に応じて録画予約の保持又は解除を決定することから、ＥＰＧを受信できない環境においては、このような番組録画再生装置を実現することは困難である。
【０００４】
ところで、従来、放送局から放送受信装置に対して、コンテンツを繰り返し放送することが行われている。例えば、１０曲の楽曲の映像コンテンツを繰り返し放送する場合においては、１曲目の楽曲の映像コンテンツが放送され、１０曲目の楽曲の映像コンテンツの放送が終わると、再び１曲目の楽曲の映像コンテンツが放送される。このようにコンテンツが繰り返し放送される場合においては、同一のコンテンツを重複して録画してしまう事態が発生し得る。この結果、これを録画する録画装置（放送受信装置に搭載されるものを含む）のメモリ資源の利用効率が悪化するという問題がある。
【０００５】
本発明はかかる点に鑑みてなされたものであり、コンテンツの重複記録を防止してメモリ資源を有効に活用することができる放送受信装置及び放送記録方法を提供することを目的とする。
【課題を解決するための手段】
【０００６】
本発明の放送受信装置は、繰り返し放送されるコンテンツを受信する放送受信部と、前記コンテンツを記録媒体に記録する記録部と、前記記録媒体における前記コンテンツの記録の有無を判定する判定部と、前記判定部の判定結果に基づいて前記記録媒体に対する前記コンテンツの記録を規制する規制部と、を具備することを特徴とする。
【０００７】
上記構成によれば、繰り返し放送されるコンテンツを記録媒体に記録する際、記録媒体におけるコンテンツの記録の有無を判定し、その判定結果に基づいてコンテンツの記録を規制することから、コンテンツが重複して記録される事態を防止することができるので、放送受信装置におけるメモリ資源を有効に活用することが可能となる。
【０００８】
上記放送受信装置において、前記規制部は、前記コンテンツと同一のコンテンツが既に記録されている場合に前記記録媒体に対する記録を規制することが好ましい。この場合には、記録媒体に同一のコンテンツが既に記録されている場合に記録媒体に対する記録が規制されるので、同一のコンテンツが重複して記録される事態を確実に防止することが可能となる。
【０００９】
なお、上記放送受信装置においては、前記記録媒体に記録された前記コンテンツを消去する消去部を更に具備し、前記規制部は、前記コンテンツと同一のコンテンツが所定回数記録されている場合に前記記録媒体に対する記録を規制し、前記消去部は、前記記録媒体に重複して記録された前記コンテンツと同一のコンテンツを消去するようにしても良い。この場合には、一時的に複数の同一のコンテンツを記録媒体に記録した後に重複記録されたコンテンツを消去することができるので、安定して記録対象となるコンテンツを記録媒体に記録させることが可能となる。
【００１０】
また、上記放送受信装置において、前記記録部は、前記コンテンツを記録すると共に当該コンテンツを識別するための識別情報を前記記録媒体に記録し、前記判定部は、前記識別情報に応じて前記コンテンツの記録の有無を判定することが好ましい。この場合には、コンテンツを識別するための識別情報によりコンテンツの記録の有無が判定されることから、簡単且つ効率的にコンテンツの重複記録を防止することが可能となる。
【００１１】
さらに、上記放送受信装置において、予め定めた設定条件下で自動的に前記コンテンツを前記記録部により記録させる自動記録管理部を更に具備し、前記自動記録管理部は、前記規制部により前記記録媒体に対する前記コンテンツの記録が規制された場合に前記記録部の記録を停止させることが好ましい。この場合には、規制部により記録媒体に対するコンテンツの記録が規制された時点で記録部による記録を停止することができるので、記録部による記録が無制限に継続することを防止でき、放送受信装置における無用な電源の消耗を防止することが可能となる。
【００１２】
本発明の放送記録方法は、繰り返し放送されるコンテンツを受信するステップと、前記コンテンツを記録媒体に記録するステップと、前記記録媒体における前記コンテンツの記録の有無を判定するステップと、当該判定結果に基づいて前記記録媒体に対する前記コンテンツの記録を規制するステップと、を具備することを特徴とする。
【００１３】
上記方法によれば、繰り返し放送されるコンテンツを記録媒体に記録する際、記録媒体におけるコンテンツの記録の有無を判定し、その判定結果に基づいてコンテンツの記録を規制することから、コンテンツが重複して記録される事態を防止することができるので、放送受信装置におけるメモリ資源を有効に活用することが可能となる。
【００１４】
上記放送記録方法においては、前記コンテンツと同一のコンテンツが既に記録されている場合に前記記録媒体に対する記録を規制することが好ましい。この場合には、記録媒体に同一のコンテンツが既に記録されている場合に記録媒体に対する記録が規制されるので、同一のコンテンツが重複して記録される事態を確実に防止することが可能となる。
【００１５】
なお、上記放送記録方法においては、前記コンテンツと同一のコンテンツが所定回数記録されている場合に前記記録媒体に対する記録を規制し、前記記録媒体に重複して記録された前記コンテンツと同一のコンテンツを消去するようにしても良い。この場合には、一時的に複数の同一のコンテンツを記録媒体に記録した後に重複記録されたコンテンツを消去することができるので、安定して記録対象となるコンテンツを記録媒体に記録させることが可能となる。
【００１６】
また、上記放送記録方法においては、前記コンテンツを記録すると共に当該コンテンツを識別するための識別情報を前記記録媒体に記録し、当該識別情報に応じて前記コンテンツの記録の有無を判定することが好ましい。この場合には、コンテンツを識別するための識別情報によりコンテンツの記録の有無が判定されることから、簡単且つ効率的にコンテンツの重複記録を防止することが可能となる。
【００１７】
さらに、上記放送記録方法において、予め定めた設定条件下で自動的に前記コンテンツの記録を開始するステップと、前記記録媒体に対する前記コンテンツの記録が規制された場合に前記コンテンツの記録を停止するステップとを更に具備することが好ましい。この場合には、記録媒体に対するコンテンツの記録が規制された時点で記録媒体に対する記録を停止することができるので、記録媒体に対する記録が無制限に継続することを防止でき、放送受信装置における無用な電源の消耗を防止することが可能となる。
【発明の効果】
【００１８】
本発明によれば、繰り返し放送されるコンテンツを記録媒体に記録する際、記録媒体におけるコンテンツの記録の有無を判定し、その判定結果に基づいてコンテンツの記録を規制することから、コンテンツが重複して記録される事態を防止することができるので、放送受信装置におけるメモリ資源を有効に活用することが可能となる。
【発明を実施するための最良の形態】
【００１９】
以下、本発明の実施の形態について添付図面を参照して詳細に説明する。
図１は、本発明の一実施の形態に係る放送受信装置１が適用される放送システムの構成例を説明するための図である。図１に示すように、本実施の形態に係る放送受信装置１は、放送局２からの放送を受信し、それを記録すると共に再生することができるように構成されている。例えば、放送受信装置１は、通信機能を有すると共に放送受信機能を有する携帯電話装置などの端末装置で構成される。なお、放送受信装置１については、携帯電話装置に限定されるものではなく、上記機能を有する任意の端末装置で構成することが可能である。
【００２０】
なお、放送局２からの放送には、例えば、図１に示すような衛星（放送衛星や通信衛星）３を利用して行われる衛星放送（ＢＳ放送、ＣＳ放送及びモバイル放送）や、図１に示すような地上に建設された電波塔４を利用して行われる地上波放送が含まれる。なお、放送局２からの放送については、これに限定されるものではなく、有線ネットワークを利用して行われる有線放送やデジタルラジオ放送なども含まれる。特に、本実施の形態に係る放送局２においては、放送受信装置１に対してコンテンツを繰り返し放送するものとする。
【００２１】
ここで、コンテンツを繰り返し放送するとは、コンテンツ（コンテンツが複数存在する場合を含む）をループさせて継続的に繰り返し放送する場合が該当する。また、コンテンツを一定時間間隔（例えば、２時間間隔）で繰り返し放送する場合や、コンテンツを放送した後、一定期間（例えば、半年や一年）経過した後に放送する場合（いわゆる再放送する場合）を含むものとする。すなわち、時間的な経過の大小を問わず、コンテンツを複数回繰り返し放送する場合をいうものとする。特に、以下においては、コンテンツをループさせて継続的に繰り返し放送する場合を用いて本実施の形態に係る放送受信装置１について説明する。
【００２２】
図２は、本実施の形態に係る放送受信装置１の構成を説明するためのブロック図である。なお、図２に示す構成は、本発明を説明するために簡略化したものであり、通常の放送受信装置に搭載される構成要素は備えているものとする。放送受信装置１は、図２に示すように、装置全体を制御する制御部１１と、この制御部１１に接続された放送受信部１２、記憶部１３、操作部１４、音声出力部１５、表示部１６及びアプリ制御部１７とを含んで構成されている。
【００２３】
放送受信部１２は、放送局２からの放送をアンテナ１８を介して受信する。記憶部１３は、例えば、磁気ディスクなどの記録媒体で構成され、放送受信部１２により受信した放送に含まれるコンテンツや、各コンテンツを識別するための識別情報（以下、適宜「コンテンツＩＤ」という）を記憶する。記憶部１３において、これらのコンテンツＩＤは、テーブル管理される。このコンテンツＩＤを管理するテーブルについては後述する。なお、記憶部１３に対するコンテンツ等の記録は、アプリ制御部１７により実行されるコンテンツ記録アプリケーションプログラムにより処理される。なお、このコンテンツ記録アプリケーションプログラムについては後述する。
【００２４】
操作部１４は、放送に含まれるコンテンツの記録指示や、記憶部１３に記録されているコンテンツの再生指示、或いは、コンテンツ記録アプリケーションの起動指示や起動に必要な設定条件の入力等を受け付ける。音声出力部１５は、再生したコンテンツに対応する音声データを出力する。表示部１６は、再生したコンテンツに対応する映像データや、コンテンツを決定するための操作入力画面等を表示する。
【００２５】
アプリ制御部１７は、放送受信装置１に搭載され、或いは、不図示の通信部を介してダウンロードされた種々のアプリケーションを起動する。例えば、アプリ制御部１７は、制御部１１の指示に応じてアプリケーション言語（例えば、Ｊａｖａ（登録商標）言語）で作成されたアプリケーションプログラムを実行する。特に、アプリ制御部１７は、放送局２からの放送に含まれるコンテンツを記録するためのコンテンツ記録アプリケーションプログラム（以下、適宜「記録アプリ」という）を実行する。
【００２６】
図３は、本実施の形態に係る放送受信装置１に対する放送局２からの放送に含まれるコンテンツの一例を示す図である。図３においては、コンテンツＡ〜Ｔをループさせて継続的に繰り返し放送する場合について示している。例えば、コンテンツＡ〜Ｔを１セットとした番組が継続的に繰り返し放送される場合が該当する。この場合には、コンテンツＴが放送された後、即時に次のセットのコンテンツＡが放送される。このような放送を受信した放送受信装置１においては、コンテンツＡ〜Ｔを繰り返し再生することが可能となる。
【００２７】
図４は、本実施の形態に係る放送局２から放送される各コンテンツの構成について説明するための模式図である。図４（ａ）に示すように、放送局２から放送される各コンテンツには、当該コンテンツを識別するための識別情報（コンテンツＩＤ）が付与されている。図３に示すコンテンツＡ〜Ｔには、例えば、それぞれコンテンツＩＤとして「１０１−００００１」〜「１０１−０００２０」が付与される。なお、コンテンツＩＤの態様については、これに限定されるものではなく任意の態様を採用することが可能である。
【００２８】
また、放送局２から放送されるコンテンツとしては、楽曲に対応するものや、広告に対応するもの、或いは、連続性を有するドラマに対応するものなど任意のコンテンツが考えられる。なお、図４（ｂ）においては、放送局２からの放送に含まれるコンテンツが、楽曲に対応するコンテンツＡ〜Ｔ（楽曲Ａ〜Ｔ）で構成される場合について示している。これらのコンテンツＡ〜Ｔに、上述したコンテンツＩＤ「１０１−００００１」〜「１０１−０００２０」がそれぞれ付与されている。
【００２９】
ここで、放送受信装置１において記録したコンテンツのコンテンツＩＤを管理するテーブル（以下、「記録済みコンテンツＩＤテーブル」という）について説明する。記録済みコンテンツＩＤテーブルにおいては、放送受信部１２で受信し、アプリ制御部１７の制御の下、記憶部１３に記録されたコンテンツに対応するコンテンツＩＤが管理される。図５は、本実施の形態に係る放送受信装置１の記憶部１３で管理される記録済みコンテンツＩＤテーブルの一例を示す図である。
【００３０】
図５に示すように、記録済みコンテンツＩＤテーブルには、管理番号(No.)と、記録済みのコンテンツに対応するコンテンツＩＤとが記録されている。図５に示す記録済みコンテンツＩＤテーブルにおいては、コンテンツＩＤ「００１−００００１」〜「００１−０００２０」と、コンテンツＩＤ「１０１−００００１」〜「１０１−０００１５」とが記録された場合について示している。これによれば、記憶部１３には、コンテンツＩＤ「００１−００００１」〜「００１−０００２０」に対応する２０個のコンテンツと、コンテンツＩＤ「１０１−００００１」〜「１０１−０００１５」に対応する１５個のコンテンツが記録されていることが分かる。
【００３１】
次に、上記構成を有する放送受信装置１におけるコンテンツの記録処理について説明する。放送受信装置１におけるコンテンツの記録は、上述のように、アプリ制御部１７が記録アプリを実行することにより制御される。具体的には、アプリ制御部１７は、図６に示すフローに従ってコンテンツの記録処理を制御する。図６は、本実施の形態に係る放送受信装置１におけるコンテンツの記録処理について説明するためのフロー図である。
【００３２】
コンテンツの記録は、例えば、操作者によるコンテンツの記録の予約や、操作部１４を介した操作者からの記録指示により開始される。予約による記録開始時刻になった場合や、操作者からの記録指示を受け付けた場合、図６に示すように、アプリ制御部１７は、記録アプリを起動する（ステップ（以下、「ＳＴ」という）６１）。なお、ここでは、コンテンツの記録の予約により記録アプリが起動されたものとする。この場合において、アプリ制御部１７は、コンテンツの記録の予約に応じて自動的に記録アプリを起動し、後述するようにコンテンツの記録後、記録アプリを停止する。すなわち、自動的にコンテンツの記録を管理する自動記録管理部として機能する。
【００３３】
記録アプリを起動した後、予約による記録開始時刻になると、放送受信部１２により予約に対応する放送局２からの放送が受信される（ＳＴ６２）。なお、放送受信部１２による当該放送局２からの放送の受信は、例えば、予約による記録が終了するまで継続される。放送受信部１２により受信された放送に含まれるコンテンツは、アプリ制御部１７に渡される。このコンテンツを受け取ると、アプリ制御部１７は、当該コンテンツに付与されたコンテンツＩＤを取得する（ＳＴ６３）。
【００３４】
コンテンツＩＤを取得すると、アプリ制御部１７は、記憶部１３に設けられた記録済みコンテンツＩＤテーブルに当該コンテンツＩＤが記録されているかを判定する（ＳＴ６４）。このように判定するのは、既に記録済みのコンテンツが重複して記録されることを防止するためである。この場合において、アプリ制御部１７は、記憶部１３にコンテンツが記録されているか否かを判定する判定部として機能する。
【００３５】
記録済みコンテンツＩＤテーブルにコンテンツＩＤが記録されていない場合、アプリ制御部１７は、当該コンテンツＩＤを記録済みコンテンツＩＤテーブルに記録すると共に、当該コンテンツを記憶部１３に記録する（ＳＴ６５、ＳＴ６６）。この場合において、アプリ制御部１７は、コンテンツＩＤ及びコンテンツを記録する記録部として機能する。一方、記録済みコンテンツＩＤテーブルにコンテンツＩＤが記録されている場合には、当該コンテンツを記録することなく、処理をＳＴ６７に進む。この場合において、アプリ制御部１７は、コンテンツの記録の有無に応じて記憶部１３へのコンテンツの記録を規制する規制部として機能する。
【００３６】
ＳＴ６７において、アプリ制御部１７は、放送に含まれる全てのコンテンツが記憶部１３に記録されているかを判定する（ＳＴ６７）。この判定は、コンテンツの記録が行われずに所定時間が経過しているか否かにより行われる。すなわち、所定時間以上コンテンツの記録が行われない場合には、全てのコンテンツが記憶部１３に記録される結果、ＳＴ６４から直接的にＳＴ６７に進むと考えられるからである。判定に用いられる所定時間は、任意の時間が設定可能であるが、ここでは、直前のＳＴ６６においてコンテンツの記録が行われていない場合、すなわち、ＳＴ６４からＳＴ６７に進む場合に必要となる時間を所定時間とする。すなわち、ＳＴ６４において、コンテンツＩＤが記録済みと判定されると、放送に含まれる全てのコンテンツが記録済みであると判定されることとなる。
【００３７】
なお、放送に含まれる全てのコンテンツの記録の有無の判定手法については、これに限定されるものではなく、適宜変更が可能である。例えば、予約時の段階で記録時間を設定しておき、当該記録時間との比較により判定するようにしても良い。この場合には、最初のコンテンツの記録開始時刻から記録を行っている時間を計時し、上記設定された記録時間との比較において、放送に含まれる全てのコンテンツが記録されているかを判定することが可能となる。
【００３８】
放送に含まれる全てのコンテンツが記録されていないと判定した場合、アプリ制御部１７は、処理をＳＴ６３に戻す。そして、再び、受信しているコンテンツのコンテンツＩＤを取得し、記録済みコンテンツＩＤテーブルに記録済みであるか否かを判定し、記録済みでない場合には当該コンテンツＩＤ及びコンテンツを記録した後、放送に含まれる全てのコンテンツが記録されているかを判定する（ＳＴ６３〜ＳＴ６７）。
【００３９】
このようにＳＴ６３〜ＳＴ６７の処理を繰り返すうち、ＳＴ６７において、放送に含まれる全てのコンテンツが記録されていると判定した場合、アプリ制御部１７は、記録アプリを終了し（ＳＴ６８）、コンテンツの記録処理を終了する。このようにして放送受信装置１におけるコンテンツの一連の記録処理が完了する。
【００４０】
ここで、図６に示す放送受信装置１におけるコンテンツの記録処理について具体例を用いて説明する。なお、ここでは、図４（ｂ）に示すコンテンツＡ〜Ｔを含む放送が放送局２から繰り返されているものとする。また、記憶部１３における記録済みコンテンツＩＤテーブルには、図５に示す内容が記録されているものとする。すなわち、コンテンツＩＤ「１０１−００００１」に対応するコンテンツＡ（楽曲Ａ）〜コンテンツＩＤ「１０１−０００１５」に対応するコンテンツＯ（楽曲Ｏ）は、既に記憶部１３に記録されている。
【００４１】
コンテンツＩＤ「１０１−０００１５」に対応するコンテンツＯ（楽曲Ｏ）を記録した後、ＳＴ６７において、放送に含まれる全てのコンテンツが記録されていないと判定すると、ＳＴ６３において、再び、受信したコンテンツのコンテンツＩＤを取得する。ここでは、コンテンツＰ（楽曲Ｐ）に対応するコンテンツＩＤ「１０１−０００１６」が取得される。ここで、記録済みコンテンツＩＤテーブルには、コンテンツＩＤ「１０１−０００１６」が記録されていないため、アプリ制御部１７は、当該コンテンツＩＤ及びコンテンツＰを記録し、放送に含まれる全てのコンテンツが記録されているか判定する（ＳＴ６４〜ＳＴ６７）。
【００４２】
ここでは、直前にコンテンツＰの記録処理が行われているため、アプリ制御部１７は、処理をＳＴ６３に戻し、再び、受信したコンテンツのコンテンツＩＤを取得する。ここでは、コンテンツＱ（楽曲Ｑ）に対応するコンテンツＩＤ「１０１−０００１７」が取得される。ここで、記録済みコンテンツＩＤテーブルには、コンテンツＩＤ「１０１−０００１７」が記録されていないため、アプリ制御部１７は、当該コンテンツＩＤ及びコンテンツＱを記録し、放送に含まれる全てのコンテンツが記録されているか判定する（ＳＴ６４〜ＳＴ６７）。
【００４３】
その後、アプリ制御部１７は、同様にして放送に含まれる最後のコンテンツＴ（楽曲Ｔ）まで記録する。コンテンツＴを記録した後、ＳＴ６７を経て、処理をＳＴ６３に戻すと、今度は、次のセットの先頭のコンテンツＡ（楽曲Ａ）のコンテンツＩＤ「１０１−００００１」が取得される。ここで、記録済みコンテンツＩＤテーブルには、コンテンツＩＤ「１０１−００００１」が既に記録されているため、アプリ制御部１７は、処理をＳＴ６７に進め、放送に含まれる全てのコンテンツが記録されているか判定する。
【００４４】
ＳＴ６４において、コンテンツＩＤ「１０１−００００１」が記録済みである場合、アプリ制御部１７は、全てのコンテンツが記録されていると判定し、記録アプリを終了する（ＳＴ６８）。この場合、記録済みコンテンツＩＤテーブルには、コンテンツＩＤ「１０１−００００１」〜「１０１−０００２０」が１つずつ記録され、記憶部１３には、コンテンツＡ（楽曲Ａ）〜コンテンツＴ（楽曲Ｔ）が１つずつ記録されることとなる。
【００４５】
このように本実施の形態に係る放送受信装置１によれば、繰り返し放送されるコンテンツを記憶部１３に記録する際、アプリ制御部１７により、記憶部１３におけるコンテンツの記録の有無を判定し、その判定結果に基づいてコンテンツの記録を規制することから、コンテンツが重複して記憶部１３に記録される事態を防止することができるので、放送受信装置１におけるメモリ資源を有効に活用することが可能となる。
【００４６】
特に、本実施の形態に係る放送受信装置１においては、コンテンツを記録する際、当該コンテンツに対応するコンテンツＩＤを記録済みコンテンツＩＤテーブルに記録し、このコンテンツＩＤの有無に応じて記録対象とされるコンテンツの記録の有無を判定している。これにより、簡単且つ効率的にコンテンツの重複記録を防止することが可能となる。
【００４７】
また、本実施の形態に係る放送受信装置１においては、アプリ制御部１７により、記録対象とされるコンテンツと同一のコンテンツが既に記憶部１３に記録されている場合に当該記憶部１３に対する記録を規制している。これにより、記憶部１３に同一のコンテンツが重複して記録される事態を確実に防止することが可能となる。
【００４８】
さらに、本実施の形態に係る放送受信装置１においては、アプリ制御部１７により、コンテンツの記録が規制された場合に記憶部１３に対するコンテンツの記録処理を停止している。これにより、記憶部１３に対するコンテンツの記録が規制された時点でコンテンツの記録を停止することができるので、コンテンツの記録が無制限に継続することを防止でき、放送受信装置１における無用な電源の消耗を防止することが可能となる。
【００４９】
なお、本発明は上記実施の形態に限定されず、種々変更して実施することが可能である。また、本発明の範囲を逸脱しない限りにおいて、処理部や処理手順については適宜変更して実施することが可能である。その他、本発明の範囲を逸脱しないで適宜変更して実施することが可能である。
【００５０】
例えば、上記実施の形態においては、図６に示すように、記録対象とされるコンテンツのコンテンツＩＤが記録済みコンテンツＩＤテーブルに１つ記録されている場合に放送に含まれる全てのコンテンツが記録済みであると判定し（ＳＴ６７）、記録処理を終了する。この場合には、何らかの要因により放送受信が中断されたような場合に放送に含まれる全てのコンテンツを記録できずに記録処理を終了してしまう事態が発生し得る。このような事態に対応するため、記録対象とされるコンテンツのコンテンツＩＤが記録済みコンテンツＩＤテーブルに複数記録されている場合に放送に含まれる全てのコンテンツが記録済みであると判定し、事後的に重複して記録されたコンテンツを消去することは実施の形態として好ましい。
【００５１】
図７は、本実施の形態に係る放送受信装置１におけるコンテンツの記録処理の変形例について説明するためのフロー図である。図７において、図６と同一の処理については同一の符号を付し、適宜、その説明を省略する。なお、ここでは、記録対象とされるコンテンツのコンテンツＩＤが記録済みコンテンツＩＤテーブルに２つ記録されている場合に放送に含まれる全てのコンテンツが記録済みであると判定する場合について示しているが、記録済みコンテンツＩＤテーブルに記録されるコンテンツＩＤの数についてはこれに限定されるものではない。
【００５２】
ＳＴ６３において、記録対象とされるコンテンツのコンテンツＩＤを取得すると、アプリ制御部１７は、記録済みコンテンツＩＤテーブルに当該コンテンツＩＤが２つ記録されているかを判定する（ＳＴ７１）。記録済みコンテンツＩＤテーブルにコンテンツＩＤが２つ記録されていない場合、アプリ制御部１７は、当該コンテンツＩＤを記録済みコンテンツＩＤテーブルに記録すると共に、当該コンテンツを記録する（ＳＴ６５、ＳＴ６６）。すなわち、記録済みコンテンツＩＤテーブルにコンテンツＩＤが記録されていない場合、或いは、１つのみ記録されている場合には、当該コンテンツＩＤ及びコンテンツが記録されることとなる。
【００５３】
このように記録済みコンテンツＩＤテーブルに当該コンテンツＩＤが２つ記録されているかを判定する場合には、放送に含まれるコンテンツのコンテンツＩＤが記録済みコンテンツＩＤテーブルに２つずつ記録されると共に、当該コンテンツが記憶部１３に２つずつ記録される。そして、このようにコンテンツＩＤ及びコンテンツが２つずつ記録された状態において、ＳＴ７１にて記録済みコンテンツＩＤテーブルに当該コンテンツＩＤが２つ記録されていると判定すると、アプリ制御部１７は、放送に含まれる全てのコンテンツが記録済みであると判定する（ＳＴ６７）。
【００５４】
そして、アプリ制御部１７は、記録済みコンテンツＩＤテーブル及び記憶部１３に重複して記録されたコンテンツＩＤ及びコンテンツを消去する（ＳＴ７２）。この場合において、アプリ制御部１７は、記憶部１３に記録されたコンテンツを消去する消去部として機能する。このように重複して記録されたコンテンツ等を消去するのは、不要なコンテンツＩＤ及びコンテンツが記憶部１３内に保存される事態を防止するためである。
【００５５】
このように重複して記録されたコンテンツＩＤ及びコンテンツを消去した後、アプリ制御部１７は、記録アプリを終了し（ＳＴ６８）、コンテンツの記録処理を終了する。このようにコンテンツＩＤ及びコンテンツが２つずつ記録した後、重複して記録されたコンテンツＩＤ及びコンテンツを消去することから、図６に示した場合と同様に、記録済みコンテンツＩＤテーブルには、コンテンツＩＤ「１０１−００００１」〜「１０１−０００２０」が１つずつ記録され、記憶部１３には、コンテンツＡ（楽曲Ａ）〜コンテンツＴ（楽曲Ｔ）が１つずつ記録されることとなる。
【００５６】
このようにコンテンツＩＤが記録済みコンテンツＩＤテーブルに複数記録されている場合に全てのコンテンツが記録済みであると判定する場合には、一時的に複数の同一のコンテンツを記憶部１３に記録した後に重複記録されたコンテンツを消去することができるので、安定して記録対象となるコンテンツを記憶部１３に記録させることが可能となる。
【図面の簡単な説明】
【００５７】
【図１】本発明の一実施の形態に係る放送受信装置が適用される放送システムの構成例を説明するための図である。
【図２】上記実施の形態に係る放送受信装置の構成を説明するためのブロック図である。
【図３】上記実施の形態に係る放送受信装置に対する放送局からの放送に含まれるコンテンツの一例を示す図である。
【図４】上記実施の形態に係る放送局から放送される各コンテンツの構成について説明するための模式図である。
【図５】上記実施の形態に係る放送受信装置の記憶部で管理される記録済みコンテンツＩＤテーブルの一例を示す図である。
【図６】上記実施の形態に係る放送受信装置におけるコンテンツの記録処理について説明するためのフロー図である。
【図７】上記実施の形態に係る放送受信装置におけるコンテンツの記録処理の変形例について説明するためのフロー図である。
【符号の説明】
【００５８】
１  放送受信装置
２  放送局
３  衛星
４  電波塔
１１  制御部
１２  放送受信部
１３  記憶部
１４  操作部
１５  音声出力部
１６  表示部
１７  アプリ制御部
【図１】
2009200897.tif 000003
【図２】
2009200897.tif 000004
【図３】
2009200897.tif 000005
【図４】
2009200897.tif 000006
【図５】
2009200897.tif 000007
【図６】
2009200897.tif 000008
【図７】
2009200897.tif 000009